(57)【要約】【課題】カメラの下面に形成された嵌合穴と蓋とを嵌合させることによって、ペットボトルの蓋の上にカメラを載置できることが知られている。このように、ペットボトルの蓋の上にカメラのような物を載置できるようにするためには、ペットボトルの蓋の上にカメラのような物を載置できるように物の方を加工しなくてはならなかった。【解決手段】瓶２の上部１２への取付部１５と、取付部１５と連結された物置台１６とを備えたことを特徴とする。【選択図】図１
2010019967.tif 000002
【特許請求の範囲】
【請求項１】
瓶に取付けられて物置台を形成する物置形成体であって、瓶の上部への取付部と、取付部と連結された物置台とを備えたことを特徴とする物置形成体。
【請求項２】
物置台の上面に形成された複数の凹部と、凹部に嵌合されて物置台の上面より突出する棒体とを備え、当該棒体が、物置台の上面に置かれた物の落下を防止する落下防止手段を形成したことを特徴とする請求項１に記載の物置形成体。
【請求項３】
凹部に嵌合されて上面より突出する棒体は、上端部が棒体の弾性により物置台の上面に置かれた物に接触するように形成されたことを特徴とする請求項２に記載の物置形成体。
【請求項４】
取付部は、瓶の上部の外周面に沿って当該外周面を挟むことで外周面に取付けられる挟み片により形成され、挟み片が瓶の肩部の面に接触する接触部を備えたことを特徴とする請求項１に記載の物置形成体。
【請求項５】
取付部は、瓶の口部に取付けられた蓋の外周面に沿って当該蓋の外周面を挟むことで当該蓋の外周面に取付けられる上側挟み片と、瓶の頸部の外周面に沿って当該頸部の外周面を挟むことで当該頸部の外周面に取付けられて瓶の肩部の面に接触する接触部を有した下側挟み片とを備えたことを特徴とする請求項１に記載の物置形成体。
【請求項６】
接触部が、肩部の面に面接触する接触面により形成されたことを特徴とする請求項４又は請求項５に記載の物置形成体。
【発明の詳細な説明】
【技術分野】
【０００１】
この発明は、瓶に物置台を取付けるための物置形成体に関する。
【背景技術】
【０００２】
瓶としてのペットボトルの上部に取付けられた蓋の部分が嵌合可能な嵌合孔を下面に備えたカメラが知られている（例えば、特許文献１参照）。このカメラの下面に形成された嵌合穴と蓋とを嵌合させることによって、ペットボトルの蓋の上にカメラを載置できる。
【特許文献１】特開２００７−０４７７０５号公報
【発明の開示】
【発明が解決しようとする課題】
【０００３】
しかしながら、従来、ペットボトルの蓋の上にカメラのような物を載置できるようにするためには、上記のように、ペットボトルの蓋の上にカメラのような物を載置できるように物の方を加工しなくてはならないといった課題があった。
【課題を解決するための手段】
【０００４】
本発明に係る物置形成体は、瓶に取付けられて物置台を形成する物置形成体であって、瓶の上部への取付部と、取付部と連結された物置台とを備えたことを特徴とする。
物置台の上面に形成された複数の凹部と、凹部に嵌合される物置台の上面より突出する棒体とを備え、当該棒体が、物置台の上面に置かれた物の落下を防止する落下防止手段を形成したことも特徴とする。
凹部に嵌合されて上面より突出する棒体は、上端部が棒体の弾性により物置台の上面に置かれた物に接触するように形成されたことも特徴とする。
取付部は、瓶の上部の外周面に沿って当該外周面を挟むことで外周面に取付けられる挟み片により形成され、挟み片が瓶の肩部の面に接触する接触部を備えたことも特徴とする。
取付部は、瓶の口部に取付けられた蓋の外周面に沿って当該蓋の外周面を挟むことで当該蓋の外周面に取付けられる上側挟み片と、瓶の頸部の外周面に沿って当該頸部の外周面を挟むことで当該頸部の外周面に取付けられて瓶の肩部の面に接触する接触部を有した下側挟み片とを備えたことも特徴とする。
接触部が、肩部の面に面接触する接触面により形成されたことも特徴とする。
【発明の効果】
【０００５】
本発明の物置台形成体によれば、物置台の上に載置する物に加工を施すことなく、取付部により瓶の上部に取付けられた物置台の上に当該物を載置できるようになる。
物置台形成体は、複数の凹部と、凹部に嵌合される棒体とを備え、当該棒体が落下防止手段を形成したので、物置台の上面に置かれた物を安定に維持できる。また、物置台の上面に置かれた物の大きさや形状に合わせて棒体を設けることにより、物置台の上面に置かれた物の大きさや形状に係らず物置台の上面に置かれた物の落下を防ぐことができる。
物置台形成体は、凹部に嵌合された棒体の上端部が棒体の弾性により物置台の上面に置かれた物に接触するように形成されたので、当該物を棒体の弾性により弾性支持することができ、物置台の上に載置された物を安定に固定できる。
物置台形成体は、挟み片が瓶の肩部の面に接触する接触部を備えたので、接触部が肩部の面に物置形成体を瓶の上部に安定に取付けることができる。
物置台形成体は、取付部が上側挟み片と下側挟み片とを備えたので、上下の２つの上側挟み片と下側挟み片とで物置台をペットボトルの上部に取付けることができるとともに、下側挟み片の接触面が肩部の面に接触することで、下側挟み片が肩部に安定に取付けられるので、物置形成体をペットボトルの上部に安定に取付けることができる。
物置台形成体は、接触部が肩部の面に面接触する接触面により形成されたので、接触面が肩部の面に物置形成体を瓶の上部により安定に取付けることができる。
【発明を実施するための最良の形態】
【０００６】
最良の形態１
図１乃至図４は最良の形態１を示し、図１は物置形成体がペットボトルに取付けられた状態を示す斜視図、図２（ａ）はペットボトルに取付けられた物置形成体の物置台の上にカメラが載置された状態を示す正面図、図２（ｂ）はペットボトルに取付けられた物置形成体の物置台の上にカメラが載置された状態を示す平面図、図３（ａ）は物置形成体の平面図、図３（ｂ）は図３（ａ）のＡ−Ａ断面図、図３（ｃ）は図３（ａ）のＢ−Ｂ断面図、図４はペットボトルの上部への物置形成体の取付方法を示す。
【０００７】
図１に示すように、瓶としてのペットボトル２は、ポリエチレン−テレフタレート樹脂製の液体収納容器３と、合成樹脂製の蓋９とを備える。液体収納容器３は、下から順番に、図外の底部、胴部４、肩部５、頸部６、口部７を有する。口部７の上端に開口された注ぎ口８が形成され、蓋９は注ぎ口８を塞ぐように口部７に取付けられる。ペットボトル２の上部１２は、液体収納容器３の口部７に取付けられた蓋９と、液体収納容器３の頸部６と肩部５とにより形成される。肩部５は、胴部４と頸部６とを繋ぐ面により形成される。肩部５を形成する面は、ペットボトル２の筒部の中心軸を中心としたペットボトルの筒部の一部分の筒外面により形成される。当該筒外面は、筒径が、胴部４から頸部６にかけて漸次小さくなる筒状面により形成される。この筒状面は、ペットボトルの筒部の中心軸を中心とした場合に胴部４から頸部６に向けて延長する例えば円錐状面や角錐状面のような面、あるいは、半球状面のような面により形成される。
【０００８】
図１に示すように、ペットボトルに取付けられて物置台を形成する物置形成体１は、例えば、合成樹脂により形成され、ペットボトル２の上部１２への取付部１５と、物置台１６と、取付部１５と物置台１６とを連結する連結部１７と、物置台１６の上面１８に形成された複数の凹部１９と、個々に凹部１９に嵌合されて物置台の上面より突出する複数の棒体２０とを備える。
【０００９】
取付部１５は、上側挟み片２１と、下側挟み片２２とを備える。
連結部１７は、上側挟み片２１と物置台１６とを連結する上側連結部２３と、下側挟み片２２と物置台１６とを連結する下側連結部２４とを備える。
物置台１６は、例えば、短辺の長さ３５ｍｍ程度、長辺の長さ５０ｍｍ程度、厚み３ｍｍ程度の長方形状の平板により形成される。物置台１６は、物置台１６の上面１８に開口する複数の凹部１９を備える。
凹部１９は、物置台１６の上面１８から物置台１６の下面２５に向けて延長するように形成された貫通孔２６（図３（ｂ）参照）、あるいは、有底孔２７（図７参照）により形成される。凹部１９の大きさは、径が３．５ｍｍ程度であり、有底孔２７の場合は、深さが３ｍｍ未満に形成される。この複数の凹部１９は、物置台１６の上面１８に、行列状に並ぶように配置される。
そして、棒体２０の下部が凹部１９に嵌合されることで棒体２０が物置台１６の上面１８より突出した状態に固定される。凹部１９が貫通孔２６により形成された場合、下部に物置台１６の上面１８に係止する鍔１１を備えた棒体２０を用いることにより、物置台１６の上面１８の凹部１９に嵌合される棒体２０の高さを揃えることができる。
【００１０】
上側挟み片２１は、ペットボトル２の口部７に取付けられた蓋９の外周面２８に沿って当該蓋９の外周面２８を挟むことで当該蓋９の外周面２８に取付可能なように形成される。下側挟み片２２は、ペットボトル２の頸部６の外周面２９に沿って当該頸部６の外周面２９を挟むことで当該頸部６の外周面２９に取付可能なように形成される。
上側挟み片２１は、円弧を描くように上側連結部２３の一端より左右に延長する左右のアーム片３０；３０により形成される。左右のアーム片３０；３０の内周面３１で形成される円弧の径寸法とペットボトル２の口部７に取付けられた蓋９の外周面２８の径寸法とが一致するように構成される。左右のアーム片３０；３０の先端間の長さＣ（即ち、上側挟み片２１の開口の間口寸法（図３（ａ）参照）は、ペットボトル２の口部７に取付けられた蓋９の外周面２８の径寸法よりも小さく形成される。
下側挟み片２２は、円弧を描くように下側連結部２４の一端より左右に延長する左右のアーム片３２；３２により形成される。左右のアーム片３２；３２の内周面３３で形成される円弧の径寸法とペットボトルの頸部６の外周面２９の径寸法とが一致するように構成される。左右のアーム片３２；３２の先端間の長さＤ（即ち、下側挟み片の開口の間口寸法）は、ペットボトルの頸部６の外周面２９の径寸法よりも小さく形成される。
【００１１】
図３（ｃ）に示すように、下側挟み片２２を形成する左右のアーム片３２；３２の内周面３３で形成される円弧の下縁面３４は、肩部５を形成する上述した筒状面に面接触する接触面３５に形成される。
【００１２】
上側連結部２３は、平板状に形成され、その一端と上側挟み片２１とが連結され、その他端と物置台１６の一端縁部３６とが連結される。
下側連結部２４は、ブロック体３７により形成され、ブロック体３７の下部の一端と下側挟み片２２とが連結され、ブロック体３７の上部と物置台１６の下面２５とが連結される。
ブロック体３７は、ブロック３８の他端面３９に開口して当該他端面からブロック体３７の一端面の方向に延長するように形成された複数の棒体収納孔４０を備える。
【００１３】
上側挟み片２１と上側連結部２３と物置台１６とが同一水平面上に位置するように形成されたことにより、図１に示すように、取付部１５がペットボトル２の上部１２に取付けられた場合に、物置台１６がペットボトル２の口部７に取付けられた蓋９の横に位置される。即ち、取付部１５がペットボトル２の上部１２に取付けられた場合に、物置台１６が、ペットボトル２の上部１２の横に位置される。例えば、当該物置台１６の上面１８に物としてのカメラ４１を載置した後にカメラの外面４２と接触するように棒体２０の下部を凹部１９に嵌め込んだり、棒体２０の下部を凹部１９に嵌め込んだ後にカメラ４１の外面４２と棒体２０とが接触するように当該物置台１６の上面１８にカメラ４１を載置する。これにより、棒体２０が、物置台１６の上面１８に置かれたカメラ４１の落下を防止する落下防止手段として機能する。
【００１４】
最良の形態１の物置形成体によれば、カメラ４１のような物に加工を施すことなく、取付部１５によりペットボトル２の上部１２に取付けられた物置台１６の上に当該物を載置できるようになる。例えば、物置台１６を、カメラ４１やカメラ付き携帯電話のような撮像装置を設置するための物置台１６として利用できる。この場合、ペットボトル２の液体収納容器３内に液体を収納しておけば、液体収納容器３を撮像装置の固定脚として利用できる。
また、複数の凹部１９と、凹部１９に嵌合されて物置台１６の上面１８より突出する棒体２０とを備え、当該棒体２０が、物置台１６の上面１８に置かれた物の落下を防止する落下防止手段を形成したので、物置台１６の上面１８に置かれた物を安定に維持できる。また、物置台１６の上面１８に置かれた物の大きさや形状に合わせて棒体２０を設けることにより、物置台１６の上面１８に置かれた物の大きさや形状に係らず物置台１６に上面１８に置かれた物の落下を防ぐことができる。
また、取付部１５は、瓶の口部７に取付けられた蓋９の外周面２８に沿って当該蓋９の外周面２８を挟むことで当該蓋９の外周面２８に取付けられる上側挟み片２１と、瓶の頸部６の外周面２９に沿って当該頸部６の外周面２９を挟むことで当該頸部６の外周面２９に取付けられて瓶の肩部５の面に面接触する接触面３５を有した下側挟み片２２とを備えたので、上下の２つの上側挟み片２１と下側挟み片２２で物置台１６をペットボトル２の上部１２に取付けることができるとともに、下側挟み片２２の接触面３５が肩部５の面に接触することで、下側挟み片２２が肩部５に安定に取付けられるので、物置形成体１をペットボトル２の上部１２により安定に取付けることができる。
また、複数の棒体収納孔４０を備えたので、棒体２０の紛失を少なく出来る。
【００１５】
最良の形態２
物置台１６の凹部１９に嵌合されて物置台１６の上面１８より突出する棒体２０として、上端部４５が棒体２０の弾性により物置台１６の上面１８に置かれた物に接触するように形成された棒体２０を用いても良い。例えば、図５に示すように上端部４５が折曲された形状の棒体２０や、図６に示すように上部に横方向に隆起する隆起部４６を備えた形状の棒体２０を使用することで、例えば、物置台１６の上面１８より突出して相対向するように設けられた棒体２０の上端部４５が、上端部４５間の寸法よりも大きい寸法のカメラ４１の外面４２に接触した場合に、カメラ４１を棒体２０の弾性により弾性支持することができ、物置台１６の上にカメラ４１を安定に固定できる。
【００１６】
最良の形態３
図７に示すように、ペットボトル２の口部７に取付けられた蓋９の外周面２８に沿って当該蓋９の外周面２８を挟むとともに、ペットボトル２の肩部５の面に面接触する接触面４７を備えた挟み片に形成された取付部１５を備えた物置形成体１であってもよい。
【産業上の利用可能性】
【００１７】
物置形成体１は、ガラス瓶や缶瓶に取付けて使用することもできる。物置台１６に載置する物としては、例えば、小物や玩具や写真等がある。
取付部１５として肩部５の面に接触する接触部を備えたものでもよい。例えば、肩部５の面に点接触又は線接触する接触部を備えたものでもよい。この場合、ペットボトルの肩部５の面に接触する接触部が、物置形成体１をペットボトル２の上部１２に安定に取付けることができるので、好ましい。
【図面の簡単な説明】
【００１８】
【図１】物置形成体をペットボトルの上部に取付けた状態を表す斜視図（最良の形態１）。
【図２】（ａ）は物置形成体の正面図、（ｂ）は物置形成体の平面図（最良の形態１）。
【図３】（ａ）は物置形成体の平面図、（ｂ）は物置形成体のＡ−Ａ断面図、（ｃ）は物置形成体のＢ−Ｂ断面図（最良の形態１）。
【図４】物置形成体とペットボトルとの取付を示す図（最良の形態１）。
【図５】棒体の上端部が物置台の上面に置かれた物に接触する状態を表した図（最良の形態２）。
【図６】棒体の上端部が物置台の上面に置かれた物に接触する状態を表した図（最良の形態２）。
【図７】物置形成体の斜視図（最良の形態３）。
【符号の説明】
【００１９】
１  物置形成体、２  瓶（ペットボトル）、５  肩部、６  頸部、７  口部、
９  蓋、１５  取付部、１６  物置台、１８  物置台の上面、１９  凹部、
２０  棒体、２１  上側挟み片、２２  下側挟み片、２８  蓋の外周面、
２９  頸部の外周面、３５  接触面、４５  上端部、４７  接触面。
【図１】
2010019967.tif 000003
【図２】
2010019967.tif 000004
【図３】
2010019967.tif 000005
【図４】
2010019967.tif 000006
【図５】
2010019967.tif 000007
【図６】
2010019967.tif 000008
【図７】
2010019967.tif 000009